【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
第１の無線ネットワークに参加するための第１接続設定情報、及び、当該第１の無線ネットワークとは異なる第２の無線ネットワークに参加するための第２接続設定情報を記憶する記憶部と、
前記第１接続設定情報又は前記第２接続設定情報を外部通信端末へ送信する送信部と、
前記送信部が送信する前記第１接続設定情報の送信要求を受け付ける第１受付部と、
前記第１受付部と同一の筐体に設けられ、前記送信部が送信する前記第２接続設定情報の送信要求を受け付ける第２受付部と、
を有する無線ネットワーク選択装置。
【請求項２】
前記第１の無線ネットワークに対応した固有の第１コードを表示する第１表示部と、
前記第１表示部と同一の筐体に設けられ、前記第２の無線ネットワークに対応した固有の第２コードを表示する第２表示部と、を更に有し、
前記記憶部は更に、前記第１コード及び前記第２コードを記憶し、
前記第１受付部及び前記第２受付部は、外部通信端末から前記送信要求とともにコードを受信し、
前記送信部は、前記第１受付部が受信したコードが前記第１コードと一致した場合に前記第１接続設定情報を前記外部通信端末に送信し、前記第２受付部が受信したコードが前記第２コードと一致した場合に前記第２接続設定情報を前記外部通信端末に送信する請求項１に記載の無線ネットワーク選択装置。
【請求項３】
前記第１表示部は更に、前記第１の無線ネットワークに対応する第１付加情報を表示し、
前記第２表示部は更に、前記第２の無線ネットワークに対応する第２付加情報を表示する請求項２に記載の無線ネットワーク選択装置。
【請求項４】
前記第１コード、前記第２コードは、ＰＩＮコードである請求項２に記載の無線ネットワーク選択装置。
【請求項５】
前記第１の無線ネットワークに対応する第１付加情報を表示する第１表示部と、
前記第１表示部と同一の筐体に設けられ、前記第２の無線ネットワークに対応する第２付加情報を表示する第２表示部と、を更に有し、
前記記憶部は更に、前記第１付加情報及び前記第２付加情報を記憶し、
前記第１受付部及び前記第２受付部は、ユーザーによる操作を検出することにより前記送信要求を受け付ける請求項１に記載の無線ネットワーク選択装置。
【請求項６】
周辺に存在する無線ネットワークを検出する無線ネットワーク検出部と、
前記無線ネットワーク検出部によって無線ネットワークが検出された場合、前記記憶部に記憶されている接続設定情報のうち、当該無線ネットワークに対応する接続設定情報を選択可能に設定する設定部と、
を更に有する請求項１〜請求項５のいずれか一項に記載の無線ネットワーク選択装置。
【請求項７】
無線ネットワークを形成している外部通信端末に無線ネットワークの接続設定情報の送信を要求して取得する接続設定要求部をさらに有し、
前記記憶部は、前記接続設定要求部によって取得された前記接続設定情報を前記第１接続設定情報又は前記第２接続設定情報として記憶する請求項１〜請求項６のいずれか一項に記載の無線ネットワーク選択装置。
【請求項８】
無線通信インターフェースと、
無線ネットワークに参加するための接続設定情報を、複数の無線ネットワークそれぞれについて記憶する記憶部と、
前記複数の無線ネットワークの中から接続設定する無線ネットワークを選択する操作スイッチと、
前記選択された無線ネットワークの接続設定を開始するトリガを発生する接続設定スイッチと、
前記トリガが発生した場合、前記選択された無線ネットワークを形成している端末に、前記無線ネットワーク選択装置が前記選択された無線ネットワークの認証を行う端末であることを示す情報を、前記無線通信インターフェースから送信させ、前記選択された無線ネットワークに参加要求を送信した無線通信端末に対する認証を前記記憶されている接続設定情報を用いて行い、および、前記選択された無線ネットワークを形成している端末に、前記認証処理が完了したことを示す情報を、前記無線通信インターフェースから送信させる通信コントローラと、
を有する無線ネットワーク選択装置。
【請求項９】
前記通信コントローラは、前記無線通信インターフェースに前記参加要求を示す情報が受信されたあとに前記認証を行う請求項８に記載の無線ネットワーク選択装置。
【請求項１０】
前記無線通信インターフェースは、前記参加要求を示す情報を、前記選択された無線ネットワークを形成している端末から受信する請求項８に記載の無線ネットワーク選択装置。
【請求項１１】
前記複数の無線ネットワークそれぞれに対応する付加情報を表示する表示部を更に有し、
前記記憶部は更に、前記付加情報を記憶する請求項８に記載の無線ネットワーク選択装置。
【請求項１２】
前記無線通信インターフェースは、前記選択された無線ネットワークに参加要求を送信した無線通信端末に対して、前記接続設定情報を、前記操作スイッチにより前記トリガが発生したあとに送信する請求項８に記載の無線ネットワーク選択装置。
【請求項１３】
前記無線通信インターフェースは、周辺に存在する無線ネットワークを検出し、
前記表示部は、前記無線通信インターフェースによって検出された無線ネットワークに対応する付加情報のみを表示する請求項１１に記載の無線ネットワーク選択装置。
【請求項１４】
前記複数の無線ネットワークそれぞれに対応した固有のコードを表示する表示部を更に有し、
前記記憶部は更に、前記コードを記憶し、
前記無線通信インターフェースは、前記選択された無線ネットワークに参加要求を送信する無線通信端末から前記参加要求とともにコードを受信し、前記受信したコードが一致した場合、当該無線通信端末に前記一致したことを示す情報を送信し、及び、前記接続設定情報を送信する請求項８に記載の無線ネットワーク選択装置。
【請求項１５】
前記表示部は、前記無線ネットワークに対応する付加情報を表示する請求項１４に記載の無線ネットワーク選択装置。
【請求項１６】
前記通信コントローラは、前記接続設定スイッチによりトリガが発生した場合、前記無線通信インターフェースから、前記無線ネットワークを形成している端末に、当該形成している無線ネットワークへの参加要求を送信させるとともに、
前記通信インターフェースは、当該参加要求に応じて行われた認証処理が行われた後に当該無線ネットワークの接続設定情報を受信し、
前記記憶部は、前記通信インターフェースで受信された前記接続設定情報を記憶する請求項８に記載の無線ネットワーク選択装置。
【手続補正２】
【補正対象書類名】明細書
【補正対象項目名】０００９
【補正方法】変更
【補正の内容】
【０００９】
また、本発明の無線ネットワーク選択装置は、前記第１の無線ネットワークに対応した固有の第１コードを表示する第１表示部と、前記第１表示部と同一の筐体に設けられ、前記第２の無線ネットワークに対応した固有の第２コードを表示する第２表示部と、を更に有し、前記記憶部は更に、前記第１コード及び前記第２コードを記憶し、前記第１受付部及び前記第２受付部は、外部通信端末から前記送信要求とともにコードを受信し、前記送信部は、前記第１受付部が受信したコードが前記第１コードと一致した場合に前記第１接続設定情報を前記外部通信端末に送信し、前記第２受付部が受信したコードが前記第２コードと一致した場合に前記第２接続設定情報を前記外部通信端末に送信する。
【手続補正３】
【補正対象書類名】明細書
【補正対象項目名】００１０
【補正方法】変更
【補正の内容】
【００１０】
また、本発明の無線ネットワーク選択装置において、前記第１表示部は更に、前記第１の無線ネットワークに対応する第１付加情報を表示し、前記第２表示部は更に、前記第２の無線ネットワークに対応する第２付加情報を表示する。
【手続補正４】
【補正対象書類名】明細書
【補正対象項目名】００１１
【補正方法】変更
【補正の内容】
【００１１】
また、本発明の無線ネットワーク選択装置において、前記第１コード、前記第２コードは、ＰＩＮコードである。
【手続補正５】
【補正対象書類名】明細書
【補正対象項目名】００１２
【補正方法】変更
【補正の内容】
【００１２】
また、本発明の無線ネットワーク選択装置は、前記第１の無線ネットワークに対応する第１付加情報を表示する第１表示部と、前記第１表示部と同一の筐体に設けられ、前記第２の無線ネットワークに対応する第２付加情報を表示する第２表示部と、を更に有し、前記記憶部は更に、前記第１付加情報及び前記第２付加情報を記憶し、前記第１受付部及び前記第２受付部は、ユーザーによる操作を検出することにより前記送信要求を受け付ける。
【手続補正６】
【補正対象書類名】明細書
【補正対象項目名】００１３
【補正方法】変更
【補正の内容】
【００１３】
また、本発明の無線ネットワーク選択装置は、周辺に存在する無線ネットワークを検出する無線ネットワーク検出部と、前記無線ネットワーク検出部によって無線ネットワークが検出された場合、前記記憶部に記憶されている接続設定情報のうち、当該無線ネットワークに対応する接続設定情報を選択可能に設定する設定部と、を更に有する。
また、本発明の無線ネットワーク選択装置は、無線ネットワークを形成している外部通信端末に無線ネットワークの接続設定情報の送信を要求して取得する接続設定要求部をさらに有し、前記記憶部は、前記接続設定要求部によって取得された前記接続設定情報を前記第１接続設定情報又は前記第２接続設定情報として記憶する。
また、本発明は、無線通信インターフェースと、無線ネットワークに参加するための接続設定情報を、複数の無線ネットワークそれぞれについて記憶する記憶部と、前記複数の無線ネットワークの中から接続設定する無線ネットワークを選択する操作スイッチと、前記選択された無線ネットワークの接続設定を開始するトリガを発生する接続設定スイッチと、前記トリガが発生した場合、前記選択された無線ネットワークを形成している端末に、前記無線ネットワーク選択装置が前記選択された無線ネットワークの認証を行う端末であることを示す情報を、前記無線通信インターフェースから送信させ、前記選択された無線ネットワークに参加要求を送信した無線通信端末に対する認証を前記記憶されている接続設定情報を用いて行い、および、前記選択された無線ネットワークを形成している端末に、前記認証処理が完了したことを示す情報を、前記無線通信インターフェースから送信させる通信コントローラと、を有する無線ネットワーク選択装置である。
また、本発明の無線ネットワーク選択装置において、前記通信コントローラは、前記無線通信インターフェースに前記参加要求を示す情報が受信されたあとに前記認証を行う。
また、本発明の無線ネットワーク選択装置において、前記無線通信インターフェースは、前記参加要求を示す情報を、前記選択された無線ネットワークを形成している端末から受信する。
また、本発明の無線ネットワーク選択装置は、前記複数の無線ネットワークそれぞれに対応する付加情報を表示する表示部を更に有し、前記記憶部は更に、前記付加情報を記憶する。
また、本発明の無線ネットワーク選択装置において、前記無線通信インターフェースは、前記選択された無線ネットワークに参加要求を送信した無線通信端末に対して、前記接続設定情報を、前記操作スイッチにより前記トリガが発生したあとに送信する。
また、本発明の無線ネットワーク選択装置において、前記無線通信インターフェースは、周辺に存在する無線ネットワークを検出し、前記表示部は、前記無線通信インターフェースによって検出された無線ネットワークに対応する付加情報のみを表示する。
また、本発明の無線ネットワーク選択装置は、前記複数の無線ネットワークそれぞれに対応した固有のコードを表示する表示部を更に有し、前記記憶部は更に、前記コードを記憶し、前記無線通信インターフェースは、前記選択された無線ネットワークに参加要求を送信する無線通信端末から前記参加要求とともにコードを受信し、前記受信したコードが一致した場合、当該無線通信端末に前記一致したことを示す情報を送信し、及び、前記接続設定情報を送信する。
また、本発明の無線ネットワーク選択装置において、前記表示部は、前記無線ネットワークに対応する付加情報を表示する。
また、本発明の無線ネットワーク選択装置において、前記通信コントローラは、前記接続設定スイッチによりトリガが発生した場合、前記無線通信インターフェースから、前記無線ネットワークを形成している端末に、当該形成している無線ネットワークへの参加要求を送信させるとともに、前記通信インターフェースは、当該参加要求に応じて行われた認証処理が行われた後に当該無線ネットワークの接続設定情報を受信し、前記記憶部は、前記通信インターフェースで受信された前記接続設定情報を記憶する。